(57)【要約】【課題】  緊急性が高くないレポートを自動出力する際に回復処理が行われるかどうかを判断し、回復処理が行われると判断した場合はレポートの出力を保留し、その後他の記録動作が行われた後に保留していたレポートを出力することで、回復処理の回数を減らし、インクを無駄に消費しないようにする。【解決手段】  インクジェット方式のプリンタ部を有する複合プリンタであって、印刷開始時にタイマ手段が一定時間以上であるかを判断し、一定時間以上であるならばプリンタ部の回復処理を行う回復処理制御手段を有し、レポート印刷手段によりレポートを自動印刷することに先立って、前記回復処理制御手段により回復処理が行われるかどうかを判断し、回復処理が行われない場合のみレポートを印刷し、回復処理が行われる場合はレポートを印刷しないように制御するレポート印刷制御手段を備えることを特徴とする。【選択図】  図２
2007106027.tif 000002
【特許請求の範囲】
【請求項１】
インクジェット方式のプリンタ部を有する複合プリンタであって、時間を測定するタイマ手段、印刷開始時に前記タイマ手段が一定時間以上であるかを判断し、一定時間以上であるならばプリンタ部の回復処理を行うよう制御する回復処理制御手段、印刷終了後に前記タイマ手段をリセットするタイマリセット手段、自動印刷されるレポートを印刷するレポート印刷手段、前記レポート印刷手段によりレポートを自動印刷することに先立って、前記回復処理制御手段により回復処理が行われるかどうかを判断し、回復処理が行われない場合のみレポートを印刷し、回復処理が行われる場合はレポートを印刷しないように制御するレポート印刷制御手段を備えることを特徴とする複合プリンタ。
【請求項２】
インクジェット方式のプリンタ部を有する画像通信装置であって、時間を測定するタイマ手段、印刷開始時に前記タイマ手段が一定時間以上であるかを判断し、一定時間以上であるならばプリンタ部の回復処理を行うよう制御する回復処理制御手段、印刷終了後に前記タイマ手段をリセットするタイマリセット手段、自動印刷されるレポートを印刷するレポート印刷手段、前記レポート印刷手段によりレポートを自動印刷することに先立って、前記回復処理制御手段により回復処理が行われるかどうかを判断し、回復処理が行われない場合のみレポートを印刷し、回復処理が行われる場合はレポートを印刷しないように制御するレポート印刷制御手段を備えることを特徴とする画像通信装置。
【発明の詳細な説明】
【技術分野】
【０００１】
本発明は、記録部にインクジェット方式のプリンタ部を有し、通信管理レポートなど自動的にレポートを出力する複合プリンタおよび画像通信装置に関する。
【背景技術】
【０００２】
従来の複合プリンタおよび画像通信装置では、特開平４−００３５７８号公報記載のようにＦＡＸなどの画像の送受信を行うと、その通信日時、通信モード、通信相手や通信結果などを記録した通信管理レポートが、一定数の通信が行われるごとに出力される。
【０００３】
また、特開平７−１２５２５０公報記載のように、インクジェット方式のプリンタは、インクヘッド詰まりなどのトラブルを起こさないようにし印刷品質を保つために、印刷を行ってから一定時間が経過した後に印刷を行うと、印刷の前に回復処理を行うように制御されている。
【特許文献１】特開平４−００３５７８号
【特許文献２】特開平７−１２５２５０号
【発明の開示】
【発明が解決しようとする課題】
【０００４】
しかしながら上述の方法では、通信管理レポートのように緊急性が高くないレポートを印刷するためだけであっても回復処理を行ってしまうので、インクを無駄に消費してしまうという問題があった。
【０００５】
本発明は上記従来例に鑑みてなされたもので、緊急性が高くないレポートを自動出力する際に回復処理が行われるかどうかを判断し、回復処理が行われると判断した場合はレポートの出力を保留し、その後他の記録動作が行われた後に保留していたレポートを出力することで、回復処理の回数を減らし、インクを無駄に消費しない複合プリンタおよび画像通信装置を提供することを目的とする。
【課題を解決するための手段】
【０００６】
上記問題を解決するために本発明は次のような構成を有する。
【０００７】
請求項１記載の複合プリンタは、インクジェット方式のプリンタ部を有する複合プリンタであって、時間を測定するタイマ手段、印刷開始時に前記タイマ手段が一定時間以上であるかを判断し、一定時間以上であるならばプリンタ部の回復処理を行うよう制御する回復処理制御手段、印刷終了後に前記タイマ手段をリセットするタイマリセット手段、自動印刷されるレポートを印刷するレポート印刷手段、前記レポート印刷手段によりレポートを自動印刷することに先立って、前記回復処理制御手段により回復処理が行われるかどうかを判断し、回復処理が行われない場合のみレポートを印刷し、回復処理が行われる場合はレポートを印刷しないように制御するレポート印刷制御手段を備えることを特徴とする。
【０００８】
請求項２記載の画像通信装置は、インクジェット方式のプリンタ部を有する画像通信装置であって、時間を測定するタイマ手段、印刷開始時に前記タイマ手段が一定時間以上であるかを判断し、一定時間以上であるならばプリンタ部の回復処理を行うよう制御する回復処理制御手段、印刷終了後に前記タイマ手段をリセットするタイマリセット手段、自動印刷されるレポートを印刷するレポート印刷手段、前記レポート印刷手段によりレポートを自動印刷することに先立って、前記回復処理制御手段により回復処理が行われるかどうかを判断し、回復処理が行われない場合のみレポートを印刷し、回復処理が行われる場合はレポートを印刷しないように制御するレポート印刷制御手段を備えることを特徴とする。
【発明の効果】
【０００９】
本発明によれば、緊急性が高くないレポートを自動出力する際に回復処理が行われるかどうかを判断し、回復処理が行われると判断した場合はレポートの出力を保留し、その後他の記録動作が行われた後に保留していたレポートを出力することで、回復処理の回数を減らし、インクを無駄に消費しないようにできる。
【発明を実施するための最良の形態】
【００１０】
以下に本発明に係わる実施の形態を説明する。
【００１１】
図１は本発明の実施の形態に係る複合プリンタの構成図であり、ＣＰＵ１０１は本複合プリンタの制御を行い、ＲＯＭ１０２は本複合プリンタの制御プログラムを格納するためのメモリ、ＮＶＲＡＭ１０３は各種設定データを格納するための不揮発性メモリ、ＲＡＭ１０４は読取部１０６で読み取った読取画像データやＭＯＤＥＭ１０９でファクシミリ受信した受信画像データを格納するため、および動作に必要なワークメモリとして使用するメモリ、表示部１０５は本複合プリンタの状態などを表示する。読取部１０６はファクシミリ送信やコピーを行う際、原稿を読み取るものであり、記録部１０７はファクシミリ受信した画像データ、コピーで読み取った画像データおよび各種レポートを記録するものである。操作部１０８は複数のキーから構成され、各種パラメータの設定や操作の指示を行うためのものである。ＣＯＤＥＣ１０９は読取部で読み取った読取画像および受信した受信画像データの符号化／復号化を行うためのものであり、ＭＯＤＥＭ１１０は送信データを変調して回線に送出したり、回線から受信したデータを復調するためのものである。ＮＣＵ１１１は通信やパルス信号の送出のために網制御を行うものである。タイマ１１２は時間を計測するためのものであり、レポート作成部１１３は各種レポート用データを作成し，ＲＡＭ１０４内に格納するものである。ＰＣインターフェース部１１４はパーソナルコンピュータ（ＰＣ）と接続するためのインターフェースであり、ＰＣからのプリント命令によるプリントやスキャン命令によるスキャンなどを行うものである。
【００１２】
また、本複合プリンタが出力する各種レポートには通信結果レポート、通信管理レポートがある。通信結果レポートは送受信１通信ごとの結果を通知するためのもので１通信終了する度に出力される。通信結果レポートは複数の通信結果（例えば４０件）をまとめて一覧出力されるものであり、４０通信ごとに出力される。
【００１３】
これらのレポートは使用者の操作によって出力されるものではなく、装置の状況によって自動的に出力されるものであり、使用者の関知しないところで出力されるため緊急性は高くない。
【００１４】
次にレポートを印刷する際の制御について、図２のフローチャートを用いて説明する。
【００１５】
まず、ステップＳ２０１で通信結果レポートや通信管理レポートを印刷するかどうかをチェックする。通信結果レポートの場合は１通信終了したか、通信管理レポートの場合は４０通信終了したかで判断する。ここでレポートを印刷する場合はステップＳ２０２に進み、回復タイマがＴｃ以上になっているかを判断する。Ｔｃは回復を行うかどうかを判断するための継続して印刷が行われない時間を計測するもので本実施例では７２時間とする。
【００１６】
ステップＳ２０２で回復タイマがＴｃ未満と判断された場合はステップＳ２０３に進み、レポートを印刷する。そしてステップＳ２０４で回復タイマをクリアする。
【００１７】
ステップＳ２０２で回復タイマＴ１がＴｃ以上と判断された場合は、レポートを印刷せずにステップＳ２０１に戻る。その後、コピーやＰＣインターフェース部１１４を通したＰＣからのプリント命令によるプリントを行うことによって印刷動作が行われると回復タイマがクリアされるので、ステップＳ２０２で回復タイマがＴｃ未満となり、レポートを印刷することが出来る。
【図面の簡単な説明】
【００１８】
【図１】本発明の実施形態における複合プリンタの構成図である。
【図２】実施例の制御を示すフローチャートである。
【符号の説明】
【００１９】
１０１  ＣＰＵ
１０２  ＲＯＭ
１０３  ＮＶＲＡＭ
１０４  ＲＡＭ
１０５  表示部
１０６  記録部
１０７  読取部
１０８  操作部
１０９  ＣＯＤＥＣ
１１０  ＭＯＤＥＭ
１１１  ＮＣＵ
１１２  タイマ
１１３  レポート作成部
１１４  ＰＣインターフェース部
【図１】
2007106027.tif 000003
【図２】
2007106027.tif 000004